(57)【要約】【課題】マルチベンド販売の場合に、商品購入者の一人一人の記録媒体に販売商品のポイントを発行すること。【解決手段】一度の入金で複数の商品の販売が可能な自動販売機１において、マルチベンド販売の場合に、ポイント制御部８ａが商品の１つ１つの販売の都度、販売した商品のポイントの読込依頼を行って、次の商品の販売があった場合であって、この次の商品の読込依頼に対する応答があった場合、次の商品のポイントを読込・書込部１５によって記録媒体１０ａに書き込ませる。【選択図】        図１
2008026994.tif 000002
【特許請求の範囲】
【請求項１】
一度の入金で複数の商品の販売を可能にする商品販売手段と、
記録媒体に記録されている商品のポイントの読み込みおよび書き込みを行う読込・書込手段と、
前記商品の販売の都度、該販売した商品のポイントの読込依頼を行う読込依頼手段と、
次の商品の販売があった場合であって、該次の商品のポイントの読込依頼に対する前記読込・書込手段からの応答があった場合、該次の商品のポイントを前記読込・書込手段によって前記記録媒体に書き込ませる制御を行うポイント制御手段と、
を備えたことを特徴とする自動販売機。
【請求項２】
前記商品のポイントを累積する累積手段を備え、
前記ポイント制御手段は、前記次の商品の販売があった場合であって、該次の商品のポイントの読込依頼に対する前記読込・書込手段からの応答がない場合、前記累積手段に前記商品のポイントを累積させ、あるいは前記次の商品の販売がない場合、初回の商品のポイントあるいは前記累積手段が累積した商品のポイントを前記読込・書込手段によって前記記録媒体に書き込ませることを特徴とする請求項１に記載の自動販売機。
【請求項３】
前記記録媒体は、前記ポイントのデータ読み取りやデータ書き込みが可能となるＲＦＩＤからなり、
前記読込・書込手段は、無線通信によって前記ＲＦＩＤに前記ポイントの読み込みおよび書き込みを行うリーダー・ライターからなることを特徴とする請求項１または２に記載の自動販売機。
【発明の詳細な説明】
【技術分野】
【０００１】
本発明は、一度の入金で複数の商品の販売（マルチベンド販売）が可能な自動販売機に関するものである。
【背景技術】
【０００２】
従来、たとえば商品を自動販売機から購入すると、その商品の還元対象となるポイントを発行する場合がある。この場合、従来の自動販売機では、商品購入者であるユーザの記録カードに記録されているポイントを、商品の購入時に加算ポイントだけ加算したものに書き換えるものがあった（例えば、特許文献１参照）。一方、従来の自動販売機では、一度の現金または電子マネーの投入で複数の商品をまとめて購入するために、販売商品の選択後に現金または電子マネーを投入し、商品のマルチベンド販売に係る決済処理を行うものがあった（例えば、特許文献２参照）。
【０００３】
ところで、たとえばこの特許文献２に示したマルチベンド販売を行う場合に、特許文献１で示した販売商品のポイントをユーザが所持する記録カードに記録する場合には、すべての商品販売が終了し決済処理を行った後に、販売したすべての商品のポイントを一括して記録していた。
【０００４】
【特許文献１】特開２００１−２８３２９４号公報
【特許文献２】特開２００５−１６５７６４号公報
【発明の開示】
【発明が解決しようとする課題】
【０００５】
ところで、マルチベンド販売において、たとえば複数のユーザが選択した商品をまとめて購入する場合にあっては、各ユーザの記録カードに別々に商品のポイントを記録したい場合がある。しかしながら、上述したように従来の自動販売機では、すべての商品販売が終了し決済処理を行った後に、ポイントを一括して記録するので、一人のユーザのカードにしか販売商品のポイントを記録することができない。このため、従来の自動販売機では、マルチベンド販売で商品を販売した場合、商品を選択した一人一人のユーザのカードにそれぞれ選択した商品のポイントを記録することができなかった。
【０００６】
本発明は、上記実情に鑑みて、マルチベンド販売の場合に、商品購入者の一人一人の記録媒体に販売商品のポイントを記録することができる自動販売機を提供することを目的とする。
【課題を解決するための手段】
【０００７】
上記の目的を達成するために、本発明に係る自動販売機は、一度の入金で複数の商品の販売を可能にする商品販売手段と、記録媒体に記録されている商品のポイントの読み込みおよび書き込みを行う読込・書込手段と、前記商品の販売の都度、該販売した商品のポイントの読込依頼を行う読込依頼手段と、次の商品の販売があった場合であって、該次の商品のポイントの読込依頼に対する前記読込・書込手段からの応答があった場合、該次の商品のポイントを前記読込・書込手段によって前記記録媒体に書き込ませる制御を行うポイント制御手段と、を備えたことを特徴とする。
【０００８】
また、本発明に係る自動販売機は、上記発明において、前記商品のポイントを累積する累積手段を備え、前記ポイント制御手段は、前記次の商品の販売があった場合であって、該次の商品のポイントの読込依頼に対する前記読込・書込手段からの応答がない場合、前記累積手段に前記商品のポイントを累積させ、あるいは前記次の商品の販売がない場合、初回の商品のポイントあるいは前記累積手段が累積した商品のポイントを前記読込・書込手段によって前記記録媒体に書き込ませることを特徴とする。
【０００９】
また、本発明に係る自動販売機は、上記発明において、前記記録媒体は、前記ポイントのデータ読み取りやデータ書き込みが可能となるＲＦＩＤからなり、前記読込・書込手段は、無線通信によって前記ＲＦＩＤに前記ポイントの読み込みおよび書き込みを行うリーダー・ライターからなることを特徴とする。
【発明の効果】
【００１０】
本発明にかかる自動販売機は、マルチベンド販売の場合に、商品の１つ１つの販売の都度、販売商品のポイントを発行することで、商品購入者の一人一人の記録媒体に販売商品のポイントを記録することができるという効果を奏する。
【発明を実施するための最良の形態】
【００１１】
以下に添付図面を参照して、本発明に係る自動販売機の好適な実施の形態を詳細に説明する。なお、この実施の形態によりこの発明が限定されるものではない。
【００１２】
（実施の形態）
図１は、本発明にかかる自動販売機の実施の形態の機能構成を示すブロック図である。図２は、図１に示した自動販売機の外観構成を示す外観構成図である。図１において、自動販売機１は、商品の選択が可能な商品選択部２と、商品のポイントを発行するポイント発行部３と、商品販売時の決済を行う決済処理部４と、ユーザなどによる各種情報が入力される情報入力部５と、各種メッセージをユーザに告知する接客部６と、商品選択部２で選択された商品の販売を可能にする商品販売部７と、ポイント制御手段としてのポイント制御部８ａを有するとともに各部の動作を制御する主制御部８とから構成される。なお、本実施の形態では、ポイント発行部３から発行された商品のポイントを携帯電話機１０に内蔵された可搬型の記録カード、たとえば無線通信によってデータの読み取りや書き込みを行うことができるＲＦＩＤ（Ｒａｄｉｏ  Ｆｒｅｑｕｅｎｃｙ  ＩＤ）からなる記録媒体１０ａに記録する場合について説明する。
【００１３】
この商品選択部２は、後述する商品見本１ａ〜１ｊに対応した商品の選択が可能な複数の商品選択ボタン２ａ〜２ｊからなる。ユーザは、これら商品選択ボタン２ａ〜２ｊの中から所望の商品に該当する商品選択ボタンを押下することで、選択した所望商品の購入が可能となる。
【００１４】
次に、ポイント発行部３は、販売商品のポイントを携帯電話機１０に内蔵された記録媒体１０ａに記録するもので、読込・書込手段としての読込・書込部１５、加算部２０、累積手段としての累積部２１から構成される。読込・書込部１５は、ユーザによってかざされた携帯電話機１０の記録媒体１０ａに記録されているポイントの読み込みおよび記録媒体１０ａへのポイントの書込みを行うもので、たとえば無線通信によって記録媒体１０ａにポイントの読み込み及び書き込みを行うリーダー・ライターからなる。すなわち、マルチベンド販売時に商品販売の都度、ポイント制御部８ａから出力される読込依頼に応答してユーザが携帯電話機１０を近づけて接触させると、読込・書込部１５は、この携帯電話機１０の記録媒体１０ａからポイントの情報を読み込むことができる。加算部２０は、この読込・書込部１５によって読み込まれたポイント情報であるポイント数に、自動販売機１で販売された商品のポイント数を加算し、新たなポイントとして算出している。この加算されたポイントの情報は、読込・書込部１５によって記録媒体１０ａに書き込まれ、これによって商品販売時のポイントの加算がなされる。
【００１５】
また累積部２１は、マルチベンド販売時にポイント制御部８ａからの読込依頼に対する応答がない場合、自動販売機１で販売した商品のポイントを累積し、累積ポイントとして内部の図示しないメモリに保持している。そして、ポイント制御部８ａからの読込依頼に対する応答があると、この累積ポイントは、メモリから読み出され、記録媒体１０ａから読み込まれたポイント数と加算部２０によって加算されて新たなポイントとして算出される。この加算されたポイントの情報は、読込・書込部１５によって記録媒体１０ａに書き込まれ、これによって商品販売時のポイントの加算がなされる。なお、この累積ポイントは、マルチベンド販売時の商品の販売の都度、ポイント制御部８ａから出力される読込依頼に対する応答があると、この度にメモリから読み出されるものであり、商品の販売があっても応答がない場合には、その販売した商品のポイントが累積ポイントに加算され、新たな累積ポイントとしてメモリに記録されるものである。
【００１６】
次に、決済処理部４は、自動販売機１による商品の販売を可能にし、釣銭などの出金を行うものであり、入金部２２、釣銭算出部２３、出金部２４とから構成される。入金部２２は、ユーザによる紙幣や硬貨などの入金を可能にするもので、紙幣や硬貨を選別する機能を有する。釣銭算出部２３は、入金部２２から入金した金額から商品販売部７で販売した商品の販売価格（金額）を差し引いた金額を釣銭として算出する。なお、この商品の販売価格は、商品選択部２で選択された商品の代金で、主制御部８から釣銭算出部２３に入力している。出金部２４は、釣銭算出部２３で算出された釣銭に相当する紙幣や硬貨を後述する釣銭出金口１８に出金してユーザに返却する機能を有する。
【００１７】
次に、情報入力部５は、ユーザがたとえば入力キーなどを用いて商品の購入に関する各種情報を入力するものであり、接客部６は、商品の販売時に各種メッセージをユーザに視覚的または聴覚的に認識させることを可能にするものである。
【００１８】
次に、商品販売部７は、自動販売機１の物理的機構の大半を占め、商品選択部２で選択された商品を搬送し、後述する取出口１９に出力して、ユーザによる商品の取出しを可能にするものである。
【００１９】
次に、主制御部８は、ポイント発行部３によるポイント発行の動作制御、決済処理部４による金銭の決済処理の動作制御、情報入力部５から入力する情報に基づく動作制御、接客部６のメッセージ出力の制御動作、商品販売部７の商品の搬送動作の制御などを行う。また、ポイント制御部８ａは、この主制御部８の制御のうち、ポイント発行を行うための制御を司り、これら各部の動作を制御するものである。なお、ポイント制御部８ａの制御動作は、後述フローチャートを用いて説明する。
【００２０】
次に、図２を用いて図１に示した自動販売機の外観構成を説明する。図２において、自動販売機１は、複数の商品見本１ａ〜１ｊと、複数の商品選択ボタン２ａ〜２ｊとを備える。商品選択ボタン２ａ〜２ｊは、商品選択部２（図１参照）を構成し、商品見本１ａ〜１ｊに対応した商品の販売価格を表示するとともに当該商品の選択が可能な構成である。また自動販売機１は、紙幣を入金する紙幣入金口１１と、硬貨を入金する硬貨入金口１２と、投入金額を表示する金額表示部１４とを備え、この紙幣入金口１１、硬貨入金口１２および金額表示部１４は入金部２２（図１参照）の構成部位で、自動販売機１内への入金および選別された投入金額の表示を可能にしている。また自動販売機１は、返却レバー１３と、釣銭出金口１８とを備え、この返却レバー１３および釣銭出金口１８は出金部２４（図１参照）の構成部位で、返却レバー１３がユーザによって回動操作されると、釣銭算出部２３で算出された釣銭が釣銭出金口１８に出金し、この釣銭をユーザに返却可能とする。また自動販売機１は、接触する携帯電話機１０に対してポイントの読み込みまたは書き込みを行う読込・書込部１５を備え、この読込・書込部１５は上述したようにポイント発行部３（図１参照）の構成部位である。
【００２１】
また、自動販売機１は、各種情報の入力を行う入力キー１６を備え、この入力キー１６は、情報入力部５の構成部位で、たとえば返却レバー１３の操作の代わりに、入力キー１６によって釣銭の返却を指示したり、ポイントの書き込み要求や書き込み拒否を指示することも可能となる。また、自動販売機１は、各種情報を表示するディスプレイ１７を備え、このディスプレイ１７、は接客部６の構成部位で、たとえばユーザに商品説明や現在の合計ポイントなどの各種情報を提供することが可能となる。なお、接客部６の構成部位としては、この他にたとえば、図示しないスピーカやＬＥＤも含まれる。また、自動販売機１は、商品が搬出される取出口１９を備え、この取出口１９は商品販売部７の構成部位で、商品選択部２で選択された商品を受け取り、ユーザの取出しが可能に保持している。なお、商品販売部７の構成部位としては、この他に商品選択部２で選択された商品を取出口１９まで搬送する搬送系も含まれる。さらに、自動販売機１は、たとえば電子マネーをチャージした記録カードを挿入および返却するカード挿入口などを備えることも可能である。
【００２２】
次に、マルチベンド販売時のポイント発行の動作について説明する。図３、図４は、マルチベンド販売時のポイント発行の動作を説明するためのフローチャートである。なお、この実施の形態では、現金投入時の動作について説明する。
【００２３】
図３、図４において、まずポイント制御部８ａは、初期状態として接客部６のディスプレイ１７に待機状態を示すメッセージの表示を行わせる（ステップＳ１０１）。次に、ポイント制御部８ａは、現金が投入されて、商品選択部２による商品の選択、商品販売部７による商品の販売がなされると、ディスプレイ１７に携帯電話機１０のかざし待ち状態を示すメッセージの表示を行わせ（ステップＳ１０２）、次に返却レバー１３（または入力キー）の操作による釣銭の返却指示かどうか、または釣銭算出部２３で算出された釣銭が０円（ジャストベンド）であるかどうか判断する（ステップＳ１０３）。
【００２４】
ここで、ポイント制御部８ａは、釣銭の返却指示がある状態か、またはジャストベンドの場合には、これ以上の商品の購入はないと判断して加算部２０で加算する商品のポイントがあるかどうか判断し（ステップＳ１０４）、加算する商品のポイントがない場合には、ステップＳ１０１に戻って待機状態を示すメッセージの表示をディスプレイ１７に行わせ、上記動作を繰り返す。またポイント制御部８ａは、加算する商品のポイントがある場合には、内部のタイマーを起動させ（ステップＳ１０５）、３０秒経過する前に携帯電話機１０の読込・書込部１５へのかざしがあったかどうか判断する（ステップＳ１０６，Ｓ１０７）。
【００２５】
ここで、ポイント制御部８ａは、３０秒経過する前に携帯電話機１０の読込・書込部１５へのかざしがあった場合には、ポイントの書き込みと判断して加算部２０によるポイントの加算を行わせ、この加算部２０によるポイント加算ができたか（成功したか）どうか判断し（ステップＳ１０８）、またポイント制御部８ａは、携帯電話機１０が読込・書込部１５へかざされる前に３０秒が経過した場合には、ポイントの書き込みを希望しないものと判断してステップＳ１０１に戻って、待機状態を示すメッセージの表示をディスプレイ１７に行わせて上記動作を繰り返す。なお、ユーザがポイントの書き込みを希望しない場合には、たとえば情報入力部５のキー操作で、書き込みを希望しない旨の選択を行って、ポイント制御部８ａに指示するように構成することも可能である。この場合には、ステップＳ１０６で３０秒待たなくても迅速に次のステップに進むことができる。
【００２６】
また、ステップＳ１０８において、ポイント制御部８ａは、ポイント加算が成功した場合には、ポイント加算が成功した旨のメッセージの表示をディスプレイ１７に行わせ（ステップＳ１０９）、たとえば３秒経過後に（ステップＳ１１０）、ステップＳ１０１に戻って、次に商品の販売を待つ待機状態を示すメッセージの表示をディスプレイ１７に行わせ、上記動作を繰り返す。またポイント制御部８ａは、ポイント加算が失敗した場合には、ポイント加算が失敗した旨のメッセージの表示をディスプレイ１７に行わせ（ステップＳ１１１）、たとえば３秒経過後に（ステップＳ１１２）、ディスプレイ１７に携帯電話機１０のかざし待ち状態を示すメッセージの表示を行わせ後に（ステップＳ１１３）、ステップＳ１０６に戻って３０秒経過したかどうか判断して上記動作を繰り返す。なお、ステップＳ１１３のかざし待ち状態では、ポイント加算が失敗した旨のメッセージは継続して表示されている。この表示例は後述する。
【００２７】
また、ステップＳ１０３において、ポイント制御部８ａは、釣銭の返却指示がないか、またはジャストベンドでない場合には、自動販売機１で次の商品の販売があるかどうか判断する（ステップＳ１１４）。ここで、ポイント制御部８ａは、次の商品の販売がない場合には、携帯電話機１０の読込・書込部１５へのかざしがあったかどうか判断する（ステップＳ１１５）。
【００２８】
ここで、ポイント制御部８ａは、携帯電話機１０の読込・書込部１５へのかざしがあった場合には、ポイントの書き込みと判断して加算部２０によるポイントの加算を行わせ、この加算部２０によるポイント加算ができたか（成功したか）どうか判断する（ステップＳ１１６）。ここで、ポイント制御部８ａは、ポイント加算が成功した場合には、ポイント加算が成功した旨のメッセージの表示をディスプレイ１７に行わせる（ステップＳ１１７）。次に、ポイント制御部８ａは、たとえば３秒経過後に（ステップＳ１１８）、ディスプレイ１７に待機状態を示すメッセージの表示を行わせ（ステップＳ１１９）、ステップＳ１０３に戻って、釣銭の返却指示かどうか、またはジャストベンドかどうか判断して上記動作を繰り返す。またステップＳ１１５において、ポイント制御部８ａは、携帯電話機１０の読込・書込部１５へのかざしがない場合にも、ポイントの書き込みを希望しないものと判断してポイント数の累積を累積部２１に行わせ（ステップＳ１２０）、ディスプレイ１７に待機状態を示すメッセージの表示を行わせる（ステップＳ１１９）。さらにポイント制御部８ａは、ステップＳ１０３に戻って、釣銭の返却指示があるかどうか、またはジャストベンドであるかどうか判断して上記動作を繰り返す。
【００２９】
また、ステップＳ１１６において、ポイント制御部８ａは、ポイント加算が失敗した場合には、ポイント加算が失敗した旨のメッセージの表示をディスプレイ１７に行わせ（ステップＳ１２１）、たとえば３秒経過後に（ステップＳ１２２）、ディスプレイ１７に携帯電話機１０のかざし待ち状態を示すメッセージの表示を行わせ後に（ステップＳ１２３）、ステップＳ１０３に戻って、上記動作を繰り返す。
【００３０】
また、ステップ１１４において、ポイント制御部８ａは、自動販売機１で次の商品の販売があった場合には、ディスプレイ１７に携帯電話機１０のかざし待ち状態を示すメッセージの表示を行わせ後に（ステップＳ１２４）、携帯電話機１０の読込・書込部１５へのかざしがあったかどうか判断する（ステップＳ１２５）。
【００３１】
ここで、ポイント制御部８ａは、携帯電話機１０の読込・書込部１５へのかざしがあった場合には、ポイントの書き込みと判断して加算部２０によるポイントの加算を行わせ、ステップＳ１１６に戻って、加算部２０によるポイント加算ができたか（成功したか）どうか判断して上記動作を繰り返す。またポイント制御部８ａは、携帯電話機１０の読込・書込部１５へのかざしがない場合には、ポイント数の累積を累積部２１に行わせ（ステップＳ１２６）、ステップＳ１１９に戻ってディスプレイ１７に待機状態を示すメッセージの表示を行わせて上記動作を繰り返す。
【００３２】
すなわち、マルチベンド販売で、商品の販売の都度、販売した商品のポイントを記録媒体１０ａに記録する場合には、ステップＳ１０１〜Ｓ１０３、Ｓ１１４〜Ｓ１１９の動作を行い、またまとめてポイントを記録媒体１０ａに記録する場合には、ステップＳ１２０の動作を行った後、ステップＳ１１５でかざされた記録媒体１０ａに一括してポイントを記録できる。
【００３３】
次に、上記各ステップでのメッセージの表示例について図５〜図１４の図面を用いて説明する。図５は、ステップＳ１０１での待機状態を示すメッセージの表示例であり、ポイント制御部８ａは、この待機状態では接客部６のＬＥＤを消灯させ、スピーカからの音声の発生を行わず、ディスプレイ１７に「ケイタイポイントカード  ゴリヨウニナレマス」のメッセージを点灯表示させる制御を行う。
【００３４】
また、図６は、ステップＳ１０２でのかざし待ち状態を示すメッセージの表示例であり、ポイント制御部８ａは、このかざし待ち状態では接客部６のＬＥＤを緑色で点滅させ、スピーカからは「タッチ待ち」の音声を発生させ、ディスプレイ１７に「ケイタイヲタッチシテクダサイ  ポイントハッコウシマス  ××Ｐ」のメッセージを点灯表示させる制御をそれぞれ行う。
【００３５】
また、図７は、ステップＳ１０９でのポイント加算成功状態を示すメッセージの表示例であり、ポイント制御部８ａは、このポイント加算成功状態では接客部６のＬＥＤを緑色で点灯させ、スピーカからは「ＯＫ」の音声を発生させ、ディスプレイ１７に「××ポイント  ハッコウシマシタ」のメッセージを点灯表示させる制御を行う。
【００３６】
また、図８は、ステップＳ１１１でのポイント加算失敗状態を示すメッセージの表示例であり、ポイント制御部８ａは、このポイント加算失敗状態では接客部６のＬＥＤを赤色で点灯させ、スピーカからは「ＮＧ」の音声を発生させ、ディスプレイ１７に「モウイチドカザシテクダサイ  カードイジョウデス」のメッセージを点灯表示させる制御を行う。
【００３７】
また、図９は、ステップＳ１１３でのかざし待ち状態を示すメッセージの表示例であり、ポイント制御部８ａは、このかざし待ち状態では接客部６のＬＥＤを緑色で点灯させ、スピーカからの音声の発生は行わず、ディスプレイ１７に「モウイチドカザシテクダサイ  カードイジョウデス」のメッセージを点灯表示させる制御をそれぞれ行う。
【００３８】
また、図１０は、ステップＳ１１７でのポイント加算成功状態を示すメッセージの表示例であり、ポイント制御部８ａは、このポイント加算成功状態では接客部６のＬＥＤを緑色で点灯させ、スピーカからは「ＯＫ」の音声を発生させ、ディスプレイ１７に「××ポイント  ハッコウシマシタ」のメッセージを点灯表示させる制御を行う。
【００３９】
また、図１１は、ステップＳ１１９での待機状態を示すメッセージの表示例であり、ポイント制御部８ａは、この待機状態では接客部６のＬＥＤを消灯させ、スピーカからの音声の発生を行わず、ディスプレイ１７に「ケイタイポイントカード  ゴリヨウニナレマス」のメッセージを点灯表示させる制御を行う。
【００４０】
また、図１２は、ステップＳ１２１でのポイント加算失敗状態を示すメッセージの表示例であり、ポイント制御部８ａは、このポイント加算失敗状態では接客部６のＬＥＤを赤色で点灯させ、スピーカからは「ＮＧ」の音声を発生させ、ディスプレイ１７に「モウイチドカザシテクダサイ  カードイジョウデス」のメッセージを点灯表示させる制御を行う。
【００４１】
また、図１３は、ステップＳ１２３でのかざし待ち状態を示すメッセージの表示例であり、ポイント制御部８ａは、このかざし待ち状態では接客部６のＬＥＤを緑色で点灯させ、スピーカからの音声の発生は行わず、ディスプレイ１７に「モウイチドカザシテクダサイ  カードイジョウデス」のメッセージを点灯表示させる制御をそれぞれ行う。
【００４２】
図１４は、ステップＳ１２４でのかざし待ち状態を示すメッセージの表示例であり、ポイント制御部８ａは、このかざし待ち状態では接客部６のＬＥＤを緑色で点滅させ、スピーカからは「タッチ待ち」の音声を発生させ、ディスプレイ１７に「ケイタイヲタッチシテクダサイ  ポイントハッコウシマス  ××Ｐ」のメッセージを点灯表示させる制御をそれぞれ行う。
【００４３】
このように、この実施の形態では、マルチベンド販売の場合に、ポイント制御部が商品の１つ１つの販売の都度、販売した商品のポイントの読込依頼を行って、次の商品の販売があった場合であって、この次の商品の読込依頼に対する応答があった場合、次の商品のポイントを読込・書込部によって携帯電話機の記録媒体に書き込ませるので、商品購入者の一人一人の記録媒体に販売商品のポイントを発行することができる。
【００４４】
また、この実施の形態では、マルチベンド販売の場合であって、商品の販売の都度に携帯電話機のかざしがない場合には、累積部がポイントの累積を行い、携帯電話機がかざされた時にこの累積されたポイント発行するので、所望の複数の商品の累積ポイントを１つの記録媒体に記録することもでき、さらにポイント発行での汎用性の向上を図ることができる。
【００４５】
なお、この実施の形態では、携帯電話機に内蔵されたＲＦＩＤへのポイントの読み込みおよび書き込みの場合について説明したが、本発明はこれに限らず、たとえば非接触型または接触型ＩＣカードあるいは磁気カードへのポイントの読み込みおよび書き込みを行うことも可能である。
【図面の簡単な説明】
【００４６】
【図１】本発明にかかる自動販売機の実施の形態の機能構成を示すブロック図である。
【図２】図１に示した自動販売機の外観構成を示す外観構成図である。
【図３】マルチベンド販売時のポイント発行の動作を説明するためのフローチャートである。
【図４】マルチベンド販売時のポイント発行の動作を説明するためのフローチャートである。
【図５】図３に示したステップＳ１０１での待機状態を示すメッセージの表示例の図である。
【図６】図３に示したステップＳ１０２でのかざし待ち状態を示すメッセージの表示例の図である。
【図７】図３に示したステップＳ１０９でのポイント加算成功状態を示すメッセージの表示例の図である。
【図８】図３に示したステップＳ１１１でのポイント加算失敗状態を示すメッセージの表示例の図である。
【図９】図３に示したステップＳ１１３でのかざし待ち状態を示すメッセージの表示例の図である。
【図１０】図４に示したステップＳ１１７でのポイント加算成功状態を示すメッセージの表示例の図である。
【図１１】図４に示したステップＳ１１９での待機状態を示すメッセージの表示例の図である。
【図１２】図４に示したステップＳ１２１でのポイント加算失敗状態を示すメッセージの表示例の図である。
【図１３】図４に示したステップＳ１２３でのかざし待ち状態を示すメッセージの表示例の図である。
【図１４】図４に示したステップＳ１２４でのかざし待ち状態を示すメッセージの表示例の図である。
【符号の説明】
【００４７】
１  自動販売機
２  商品選択部
３  ポイント発行部
４  決済処理部
５  情報入力部
６  接客部
７  商品販売部
８  主制御部
８ａ  ポイント制御部
１０  携帯電話機
１０ａ  記録媒体
１５  読込・書込部
２０  加算部
２１  累積部
２２  入金部
２３  釣銭算出部
２４  出金部
【図１】
2008026994.tif 000003
【図２】
2008026994.tif 000004
【図３】
2008026994.tif 000005
【図４】
2008026994.tif 000006
【図５】
2008026994.tif 000007
【図６】
2008026994.tif 000008
【図７】
2008026994.tif 000009
【図８】
2008026994.tif 000010
【図９】
2008026994.tif 000011
【図１０】
2008026994.tif 000012
【図１１】
2008026994.tif 000013
【図１２】
2008026994.tif 000014
【図１３】
2008026994.tif 000015
【図１４】
2008026994.tif 000016